(57)【要約】【課題】本願は、スムーズな周波数特性を有する音響を出力するスピーカ装置を提供するためのものである。【解決手段】上記課題を解決すべく、本願は、振動板３と、筒状に形成されたコイルボビン８とを有すると共に、コイルボビン８の端部を覆うセンターキャップを有しないスピーカ装置１であって、振動板３はコイルボビン８の端部にのるように配置されると共に、コイルボビン８および振動板３は、コイルボビン８および振動板３に起因する音の反射がなくなるよう配置される。【選択図】  図２
2005020576.tif 000002
【特許請求の範囲】
【請求項１】
振動板と、筒状に形成されたコイルボビンとを有すると共に、前記コイルボビンの端部を覆うセンターキャップを有しないスピーカ装置であって、
前記振動板は、前記コイルボビンの端部にのるように配置されると共に、
前記コイルボビンおよび前記振動板は、該コイルボビンに起因する音の反射がなくなるよう配置されることを特徴とするスピーカ装置。
【請求項２】
前記振動板は、爪部を備えることを特徴とする請求項１に記載のスピーカ装置。
【請求項３】
前記爪部は、前記コイルボビンの内側に配置されることを特徴とする請求項２に記載のスピーカ装置。
【請求項４】
前記スピーカ装置は、複数の周波数領域で音源位置が一致するよう構成した同軸型のスピーカ装置であることを特徴とする請求項１乃至請求項３のいずれか一項に記載のスピーカ装置。
【請求項５】
前記コイルボビンの前記振動板側の端部と、前記振動板とは、前記爪部と前記端部とを接着剤によって接着することにより固定されることを特徴とする請求項２乃至請求項４のいずれか一項に記載のスピーカ装置。
【請求項６】
振動板と、筒状に形成されたコイルボビンとを有すると共に、前記コイルボビンの端部を覆うセンターキャップを有しないスピーカ装置であって、
前記振動板は爪部を備え、該爪部が前記コイルボビンの端部にのるように配置されると共に、
前記コイルボビンおよび前記振動板は、該コイルボビンに起因する音の反射がなくなるよう配置されることを特徴とするスピーカ装置。
【発明の詳細な説明】
【０００１】
【発明の属する技術分野】
本願は、スピーカ装置の構造の技術分野に属する。
【０００２】
【従来の技術】
従来の同軸スピーカは、振動板とコイルボビンとを接着剤で接着している。
【０００３】
このように振動板をボイスコイルに接着するに当たり、振動板の内周縁をコイルボビンの外周に配置させて、振動板とボイスコイルとを接着する方法が知られている。
【０００４】
【発明が解決しようとする課題】
しかしながら、このような従来の方法では、振動板の内周縁とコイルボビンの外周とを接着剤で接着しているので、コイルボビン内部の図示しない高音用振動板からの高音の音響や、上記振動板からの音響が、突出したコイルボビンの周縁部で反射してしまい、スムーズな周波数特性を有する音響の出力を行うことが出来ない。
【０００５】
すなわち、図１に示すように、従来のスピーカ装置は、コイルボビン８の周縁部８ｂであってボイスコイルの外周に、コーン型振動板３を接着剤９で接着しているため、同軸スピーカである場合には、コイルボビン８内部の図示しない高音用振動板からの高音が突出したコイルボビン８の周縁部８ｂの内側で反射してしまったり、あるいは、同軸スピーカでない場合であっても、上記コーン型振動板３から発生した音がコイルボビン８の周縁部８ｂの外側で反射してしまうなど、突出したコイルボビン８によって音響が反射されてしまうことにより、スムーズな周波数特性を有する音響の出力を行うことができないという問題点があった。
【０００６】
そこで、上記問題点の解消を一つの課題とし、最適な周波数特性を取得するスピーカ装置の構造等を提供することを目的する。
【０００７】
【課題を解決するための手段】
上記課題を解決すべく、請求項１に記載の発明は、振動板と、筒状に形成されたコイルボビンとを有すると共に、前記コイルボビンの端部を覆うセンターキャップを有しないスピーカ装置であって、前記振動板は、前記コイルボビンの端部にのるように配置されると共に、前記コイルボビンおよび前記振動板は、該コイルボビンに起因する音の反射がなくなるよう配置されることを特徴とする。
【０００８】
上記課題を解決すべく、請求項６に記載の発明は、振動板と、筒状に形成されたコイルボビンとを有すると共に、前記コイルボビンの端部を覆うセンターキャップを有しないスピーカ装置であって、前記振動板は爪部を備え、前記爪部の端部は前記コイルボビンの前記振動板側の端部に接するよう配置させると共に、前記コイルボビンおよび前記振動板は、該コイルボビンに起因する音の反射がなくなるよう配置されることを特徴とする。
【０００９】
【発明の実施形態】
次に、本願に好適な実施形態について、図面に基づいて説明する。
【００１０】
（１）第一の実施形態
始めに、図２乃至図５を参照して、本実施形態にかかるスピーカ装置の構成および機能を説明する。
【００１１】
なお、図２は第一の実施形態に係る同軸型のスピーカ装置の断面側面図であり、図３は第一の実施形態に係るスピーカ装置の要部断面拡大図である。
【００１２】
図２に示すスピーカ装置１は、磁気回路部２と、振動板の一例としての円錐形状をしたコーン型振動板３と、このコーン型振動板３を磁気回路部２に対して支持する支持フレーム４とを有して構成されている。なお、本実施の形態におけるスピーカ装置は同軸型のスピーカ装置であって、コーン型振動板３は低音用の振動板である。
【００１３】
この磁気回路部２は、ボイスコイル８ａを巻回して円筒状に形成されるコイルボビン８を内部に有して構成されている。
【００１４】
そして、コーン型振動板３の内周縁付近には、スピーカ装置１の基端側に位置するコイルボビン８と、該コーン型振動板３とを接着するための爪部３ｂを備えている。
【００１５】
そして、コーン型振動板３は、その外周縁のエッジ３ａを支持フレーム４によって支持されて構成されている。
【００１６】
上述ように構成されているスピーカ装置１は、ボイスコイル８ａに加えられた信号電流により該ボイスコイル８ａに駆動力が発生し、コーン型振動板３を振動させて音を発生させる。
【００１７】
上記コイルボビン８には、低音用ダンパー７が接着されている。この低音用ダンパー７は、スピーカ装置１の半径方向に波形をなして形成されている。
【００１８】
接着剤９は、上記コーン型振動板３と上記コイルボビン８とを接着し固定させるためのものである。
【００１９】
また、図３の要部断面拡大図に示す如く、円筒に形成されたコイルボビン８内に、コイルボビン８の内周壁と隣接するように、イコライザ１０を備える。このイコライザ１０は、コーン型振動板３側へ拡開する円錐形状に形成されており、その中央には高音用振動板１１が備えられている。
【００２０】
次に、コーン型振動板３とコイルボビン８とイコライザ１０の構成について説明する。
【００２１】
まず、イコライザ１０は、コーン型振動板３側へ拡開する円錐形状に形成されている。このとき、コイルボビン８内部に位置するイコライザ１０の中央に備えた高音用振動板１１から発生する音が、コーン型振動板３にスムーズに伝播するように、イコライザ１０の傾斜面とコーン型振動板３の傾斜面とが略同一面上になるよう、該イコライザ１０と該コーン型振動板３とが配置されている。
【００２２】
そして、上述したコーン型振動板３を、コイルボビン８の端部にのるよう配置させると共に、該コーン型振動板３に具備された爪部３ｂを、コイルボビン８の周縁部８ｂの内側に位置するよう配置させて接着剤９によって接着する。
【００２３】
以上説明したように、本実施形態におけるスピーカ装置は、コーン型振動板３に爪部３ｂを設け、コーン型振動板３をコイルボビン８の端部にのるよう配置させる構成とした。
【００２４】
次に、本願の効果を示す実験例として、図４に本実施形態によるスピーカ装置の周波数特性と、従来技術によるスピーカ装置の周波数特性のグラフを示す。
【００２５】
なお、図４中、実線が本実施形態によるスピーカ装置の周波数特性であり、破線が従来技術によるスピーカ装置の周波数特性である。
【００２６】
図４から明らかな如く、本実施形態の構成によるスピーカ装置によれば、スムーズな周波数特性を有する音響を取得し出力することが可能になる。
【００２７】
なお、上述した第一の実施形態の説明において、コーン型振動板３に備えた爪部３ｂを、コイルボビン８の内側に位置させてコーン型振動板３とコイルボビン８とを接着させたが、コイルボビン８内部に備えた高音用振動板１１からの高音がコイルボビン８の周縁部８ｂの内側で反射しないようなコーン型振動板３とコイルボビン８の配置であればよい。例えば、図５に示す如く、コーン型振動板３がコイルボビン８の端部にのるよう位置させ、コーン型振動板３を備えた爪部３ｂを、コイルボビン８の外側に位置させるような構成であってもよい。
【００２８】
以上説明したように、本実施形態のスピーカ装置によれば、コイルボビン８の内部に備えた高音用振動板１１からの高音がコイルボビン８の周縁部８ｂの内側で反射することなく出力されるため、スムーズな周波数特性を有する音響を出力することが可能になる。
【００２９】
（２）第二の実施形態
次に、本願に係る第二の実施形態について、図６を用いて説明する。
【００３０】
第一の実施形態においては、同軸スピーカについて本願を適用した場合の好適な実施形態について説明したが、第二の実施形態においては、同軸スピーカ以外のスピーカについて本願を適用した場合の好適な実施形態について説明する。
【００３１】
第一の実施形態においては、コーン型振動板をコイルボビンの端部にのるように配置させることにより、コイルボビン内部に備えた高音用振動板からの高音の周波数特性の改善を行ったが、第二の実施形態は、コーン型振動板に設けられた爪部がコイルボビンの端部にのるように配置され、接着されているものである。
【００３２】
図６は第二の実施形態におけるスピーカ装置の要部断面拡大図である。尚、第一の実施形態と同一の部材には、同一符号を用いて説明する。
【００３３】
本実施形態における磁気回路部は、その中心部にポールヨーク５と、このポールヨーク５の周囲を取り囲んで位置するリング状のトッププレート６と、ボイスコイル８ａを巻回して円筒状に形成されるコイルボビン８を有して構成されている。
【００３４】
そして、第一の実施形態と同様に、コーン型振動板３の内周縁付近には、スピーカ装置の基端側に位置するコイルボビン８と、該コーン型振動板３とを接着するための爪部３ｂを備えている。
【００３５】
上記コイルボビン８には、ダンパー１２が接着されている。このダンパー１２は、スピーカ装置の半径方向に波形をなして形成されている。
【００３６】
また、接着剤９は、コーン型振動板３とコイルボビン８とを接着し固定させるためのものである。
【００３７】
また、円筒に形成されたコイルボビン８内に、イコライザ１３を備える。このイコライザ１３は、コイルボビン８内であって、コーン型振動板３方向に凸形状を成して形成されている。
【００３８】
次に、コーン型振動板３とコイルボビン８の構成について説明する。
【００３９】
上述したコーン型振動板３に具備された爪部３ｂが、コイルボビン８の端部にのるように接着剤９によって接着されている。このとき、爪部３ｂの端面とコイルボビン８の端面とが対向して接着されている。
【００４０】
以上説明した第二の実施形態によるスピーカ装置は、上述したようにコーン型振動板３に爪部３ｂを設け、該爪部３ｂがコイルボビン８の端部にのるようコーン型振動板３とコイルボビン８とを配置させる構成とした。
【００４１】
これによれば、コーン型振動板３からの音響が、例えばコイルボビン８などの他の構成部材によって反射されることなく、スムーズな周波数特性を有する音響の出力を行うことができる。
【００４２】
なお、本願は、第一および第二の実施形態に説明したスピーカ装置の構成に限られず、コイルボビンの端部を覆うようなセンターキャップを有しないスピーカ装置に適用可能である。
【００４３】
以上説明したように、コーン型振動板と、筒状に形成されたコイルボビンとを有すると共に、上記コイルボビンの端部を覆うセンターキャップを有しないスピーカ装置であって、上記コーン型振動板は、上記コイルボビンの端部にのるように配置されると共に、上記コイルボビンおよび上記振動板は、該コイルボビンに起因する音の反射がなくなるよう配置されるよう構成されることにより、上記コイルボビンの内部からの音が、コイルボビンの周縁部の内側で反射しないよう構成したため、スムーズな周波数特性を有する音響を出力することが可能になるという効果がある。
【００４４】
また、他の構成として、コーン型振動板と、筒状に形成されたコイルボビンとを有すると共に、上記コイルボビンの端部を覆うセンターキャップを有しないスピーカ装置であって、コーン型振動板は爪部を備え、上記爪部の端部は上記コイルボビンの上記コーン型振動板側の端部に接するよう配置させると共に、上記コイルボビンおよび上記コーン型振動板は、該コイルボビンに起因する音の反射がなくなるよう配置されるよう構成されることにより、上記コーン型振動板からの音が、例えばコイルボビンなどの他の構成部材によって反射されることなく、スムーズな周波数特性を有する音響の出力を行うことが可能になるという効果がある。
【図面の簡単な説明】
【図１】従来技術によるスピーカ装置の要部断面拡大図である。
【図２】第一の実施形態によるスピーカ装置の断面側面図である。
【図３】第一の実施形態によるスピーカ装置の要部断面拡大図である。
【図４】第一の実施形態によるスピーカ装置と従来技術によるスピーカ装置の周波数特性の比較図である。
【図５】第一の実施形態によるスピーカ装置の要部断面拡大図である。
【図６】第二の実施形態によるスピーカ装置の要部断面拡大図である。
【符号の説明】
１  スピーカ装置
２  磁気回路部
３  コーン型振動板
３ａ  エッジ
３ｂ  爪部
４  支持フレーム
５  ポールヨーク
６  トッププレート
７  低音用ダンパー
８  コイルボビン
８ａ  ボイスコイル
８ｂ  周縁部
９  接着剤
１０  イコライザ
１１  高音用振動板
１２  ダンパー
１３  イコライザ
【図１】
2005020576.tif 000003
【図２】
2005020576.tif 000004
【図３】
2005020576.tif 000005
【図４】
2005020576.tif 000006
【図５】
2005020576.tif 000007
【図６】
2005020576.tif 000008